(57)【要約】  本発明の課題は、板状逆Ｆアンテナを使用しながらも、省スペース化が図れるアンテナ装置を提供することである。  放射素子部（１０１１）とグランドパターン（１１１）の間に外部メモリ用のコネクタ（１０２）を配置する。これにより、回路基板（１１）の省スペース化が図れる。さらに、板状逆Ｆアンテナ素子（１０１）の給電部（１０１４）と第１の短絡部（１０１３）及び第２の短絡部（１０１２）を一列に並べて配置することで、筐体ケース（１２）と回路基板（１１）を設計する上で無駄の少ない配置が可能となり、省スペース化に寄与する。
2008146396.tif 000002
【特許請求の範囲】
【請求項１】
放射素子と、
グランドパターンと、
前記放射素子に給電する給電部と、
前記放射素子を前記グランドパターンに接続する第１の短絡部と、
前記放射素子と前記グランドパターンの間に設けられた外部メモリ用のコネクタと、
を備えたアンテナ装置。
【請求項２】
前記外部メモリ用のコネクタは、導電性のシャーシを有し、前記導電性のシャーシを前記グランドパターンに接続した請求項１に記載のアンテナ装置。
【請求項３】
前記放射素子を前記グランドパターンに接続する第２の短絡部を有する請求項１に記載のアンテナ装置。
【請求項４】
前記第１の短絡部又は前記第２の短絡部の少なくとも１つに前記グランドパターンに接続するためのスイッチを設けた請求項３に記載のアンテナ装置。
【請求項５】
前記複数の短絡部と、前記給電部を一列に並べた請求項３に記載のアンテナ装置。
【請求項６】
請求項１乃至請求項５のいずれかに記載のアンテナ装置を有する携帯端末。
【請求項７】
請求項３乃至請求項５のいずれかに記載のアンテナ装置と、回路基板と、筐体ケースと、前記回路基板を前記筐体ケースに固定する固定部とを有し、前記複数の短絡部のうち少なくとも１つ又は前記給電部は、前記固定部により前記回路基板と共締めされた携帯端末。
【発明の詳細な説明】
【技術分野】
【０００１】
本発明は、携帯電話等の携帯端末に用いて好適なアンテナ装置に関する。
【背景技術】
【０００２】
携帯電話等の携帯端末には、板状逆Ｆアンテナと呼ばれるアンテナが用いられている（例えば、特許文献１参照）。板状逆Ｆアンテナは、平板状の導体からなる放射素子を逆Ｆ字型に折り曲げた構造を採り、比較的小型で広帯域特性が得られるという利点を有している。【０００３】
一方、近年の携帯端末は、カメラの画像データを保存したり、ネットワーク上のサイトからダウンロードした音楽データを保存したりするなど、データを扱う機会が多くなってきている。このため、大量のデータを保存できるように、カード型のフラッシュメモリ等の記録媒体を装着できるようにしたものがある。【０００４】
【特許文献１】特開２００５−９４４２８号公報
【発明の開示】
【発明が解決しようとする課題】
【０００５】
しかしながら、板状逆Ｆアンテナは小型にできるものの、その形状から占有体積が大きいため携帯端末の回路基板を占有する割合が高く、携帯端末の小型化を進める上で支障があった。【０００６】
本発明は、係る事情に鑑みてなされたものであり、板状逆Ｆアンテナを使用しながらも、省スペース化が図れるアンテナ装置を提供することを目的とする。
【課題を解決するための手段】
【０００７】
本発明のアンテナ装置は、放射素子と、グランドパターンと、前記放射素子に給電する給電部と、前記放射素子を前記グランドパターンに接続する第１の短絡部と、前記放射素子と前記グランドパターンの間に設けられた外部メモリ用のコネクタと、を備えた。【０００８】
上記構成によれば、板状逆Ｆアンテナ素子の放射素子とグランドパターンとの間の空間部分に外部メモリ用のコネクタを配置したので、回路基板の省スペース化が可能となる。これにより、本発明のアンテナ装置を携帯電話等の携帯端末に適用した場合、携帯端末の小型化が図れる。【０００９】
また、上記構成において、前記外部メモリ用のコネクタは、導電性のシャーシを有し、前記導電性のシャーシを前記グランドパターンに接続した。【００１０】
上記構成によれば、外部メモリ用のコネクタの導電性のシャーシをグランドパターンに接続したので、外部メモリ用のコネクタにメモリを挿入することによるアンテナ利得の劣化を防止できる。【００１１】
また、上記構成において、前記放射素子を前記グランドパターンに接続する第２の短絡部を有する。【００１２】
上記構成によれば、複数の短絡部を有することで、その少なくとも１つをグランドパターンに接続することで、板状逆Ｆアンテナ素子の周波数帯域を変えることができる。【００１３】
また、上記構成において、前記第１の短絡部又は前記第２の短絡部の少なくとも１つに前記グランドパターンに接続するためのスイッチを設けた。【００１４】
上記構成によれば、スイッチによって短絡部をグランドパターンに接続したり、グランドから外したりすることで、アンテナ装置の周波数帯域を変えることができる。これにより、当該アンテナ装置を携帯電話の仕様で設計することで、日本国内用と海外用の両方の周波数帯域に対応させることができる。例えば、携帯電話の日本国内用の周波数帯域は１．９ＧＨｚ〜２．１ＧＨｚであり、海外用の周波数帯域は８８０ＭＨｚ〜９６０ＭＨｚ、１．７ＧＨｚ〜１．９ＧＨｚである。【００１５】
また、上記構成において、前記複数の短絡部と、前記給電部を一列に並べた。【００１６】
上記構成によれば、給電部と短絡部を一列に並べたので、省スペース化が図れる。【００１７】
本発明の携帯端末は、上記アンテナ装置を有する。【００１８】
上記構成によれば、省スペース化が図れ、携帯端末の小型化が図れる。【００１９】
また、本発明の携帯端末は、前記アンテナ装置と、回路基板と、筐体ケースと、前記回路基板を前記筐体ケースに固定する固定部とを有し、前記複数の短絡部のうち少なくとも１つ又は前記給電部は、前記固定部により前記回路基板と共締めさせた。【００２０】
上記構成によれば、アンテナ装置と回路基板を筐体ケースに対してネジで共締めできるので、回路基板を筐体ケースに固定するためのネジを、アンテナ装置を回路基板に固定するためのネジと兼用することが可能となり、コストの削減が図れる。
【発明の効果】
【００２１】
本発明のアンテナ装置は、放射素子とグランドパターンの間の空間部分に外部メモリ用のコネクタを配置し、また給電部と短絡部を一列に並べたので、板状逆Ｆアンテナを使用しながらも、省スペース化が図れ、携帯端末の小型化を実現できる。
【図面の簡単な説明】
【００２２】
【図１】本発明の実施の形態１に係る携帯端末のアンテナ装置を含む周辺部分の概略構成を示す斜視図
【図２】図１のアンテナ装置を含む周辺部分を逆方向から見たときの斜視図
【図３】図２のアンテナ装置を含む周辺部分を拡大した斜視図
【図４】本発明の実施の形態２に係る携帯端末のアンテナ装置を含む周辺部分の概略構成を示す斜視図
【図５】本発明の実施の形態２に係る携帯端末のアンテナ装置の応用例を含む周辺部分の概略構成を示す斜視図
【符号の説明】
【００２３】
１、２  携帯端末
１０  アンテナ装置
１１  回路基板
１２  筐体ケース
１３  ネジ
１４  スイッチ
２０  フラッシュメモリ
１０１  板状逆Ｆアンテナ素子
１０２  外部メモリ用のコネクタ
１１１  グランドパターン
１１２  給電パターン
１０１１  放射素子部
１０１２、１０１３  短絡部
１０１４  給電部
１０１５  ネジ穴部
【発明を実施するための最良の形態】
【００２４】
以下、本発明を実施するための好適な実施の形態について、図面を参照して詳細に説明する。【００２５】
（実施の形態１）
図１は、本発明の実施の形態１に係る携帯端末のアンテナ装置を含む周辺部分の概略構成を示す斜視図である。また、図２は、図１のアンテナ装置を含む周辺部分を逆方向から見たときの斜視図である。図１及び図２において、本実施の形態に係る携帯端末１は、アンテナ装置１０と、回路基板１１と、筐体ケース１２とを備えて構成される。アンテナ装置１０は、板状逆Ｆアンテナ素子１０１と、板状逆Ｆアンテナ素子１０１の直下に設けられた外部メモリ用のコネクタ１０２とを備えている。【００２６】
板状逆Ｆアンテナ素子１０１は、本体部である平板状の導体からなる放射素子部１０１１と、給電部１０１４と、短絡部１０１３、１０１２と、グランドパターン１１１とから構成される。グランドパターン１１１は、回路基板１１に設けられている。回路基板１１は、複数の層構造からなる基板である。それぞれの層に配線又はチップ部品の実装がされており、そのうち一層又は数層が全面に亘ってグランドパターン１１１になっている。図中において、グランドパターン１１１は、一点鎖線で示してある。【００２７】
給電部１０１４と短絡部１０１３、１０１２は、それぞれ略Ｌ字状の導体板により形成されており、放射素子部１０１１の４辺のうちの１辺に一列に並べて配置されている。給電部１０１４の回路基板１１と接する部分には回路基板１１を筐体ケース１２に固定するネジ穴部１０１５が形成されている。このネジ穴部１０１５により板状逆Ｆアンテナ素子１０１が回路基板１１と筐体ケース１２に共締めされる。図３は、図２のアンテナ部分を拡大した斜視図であり、この図に示すように、ネジ穴部１０１５を通してネジ１３を捩じ込むことで、板状逆Ｆアンテナ素子部１０１が回路基板１１と筐体ケース１２に共締めされる。なお、ネジ穴部１０１５は、給電部１０１４に限られず、短絡部１０１２、ｌ０１３に形成されていても良い。【００２８】
給電部１０１４は、回路基板１１に実装された無線回路の給電側のパターン（給電パターン）１１２に接続されており、短絡部１０１３及び１０１２はグランドパターン１１１に接続されている。【００２９】
板状逆Ｆアンテナ素子１０１において、給電部１０１４と短絡部１０１３、１０１２を一列に並べて配置することで、筐体ケース１２と回路基板１１を設計する上で無駄の少ない配置が可能となり、省スペース化が図れる。また、給電部１０１４にネジ穴部１０１５を設けることで、回路基板１１を筐体ケース１２に固定するためのネジ１３を、板状逆Ｆアンテナ素子１０１を回路基板１１に固定するためのネジと兼用することが可能となり、コストの削減が図れる。なお、ネジ穴部１０１５は、必ずしも給電部１０１４に設ける必要はなく、短絡部１０１３又は１０１２に設けても良い。【００３０】
外部メモリ用のコネクタ１０２は、データ保存用のカード型のフラッシュメモリ（例えば、ＳＤカードや、マイクロＳＤカード）２０を携帯端末１に接続するためのものである。外部メモリ用のコネクタ１０２は板状逆Ｆアンテナ素子１０１の放射素子部１０１１とグランドパターン１１１の間に配置される。ここで、放射素子部１０１１とグランドパターン１１１の間には空間がある。この空間を利用して外部メモリ用のコネクタ１０２を配置することで、回路基板１１の省スペース化が図れる。特に部品としての外部メモリ用のコネクタ１０２は、他の部品よりも回路基板１１に占める割合が大きいので、省スペース化において大きな前進となる。【００３１】
外部メモリ用のコネクタ１０２は、導電性のシャーシ（例えば、金属製のシャーシ）を有しており、その導電性のシャーシが回路基板１１のグランドパターン１１１に接地されている。板状逆Ｆアンテナ素子１０１の近傍に外部メモリ用のコネクタ１０２があると、フラッシュメモリ２０を挿入した場合に、通常フラッシュメモリが金属性であるためアンテナの放射利得が低下する。また、フラッシュメモリの出し入れにより、外部メモリ用のコネクタ１０２を構成するバネの伸縮状態が変化するため、アンテナの放射利得が低下する。【００３２】
そこで、外部メモリ用のコネクタ１０２の導電性のシャーシをグランドに接地することにより、外部メモリ用のコネクタ１０２にフラッシュメモリ２０を挿入することによるアンテナ利得の劣化を防止することが可能となる。【００３３】
このように、本実施の形態の携帯端末１では、放射素子部１０１１とグランドパターン１１１の間に外部メモリ用のコネクタ１０２を配置したので、回路基板１１の省スペース化が図れる。なお、回路基板１１を小型化しなくても余った部分に新たな機能を実現する部品を追加することも可能である。【００３４】
また、板状逆Ｆアンテナ素子１０１の給電部１０１４と短絡部１０１３及び１０１２を一列に並べて配置したので、筐体ケース１２と回路基板１１を設計する上で無駄の少ない配置が可能となり、省スペース化が図れる。【００３５】
また、給電部１０１４の回路基板１１と接する部分に回路基板１１を筐体ケース１２に固定するネジ穴部１０１５を形成して、板状逆Ｆアンテナ素子１０１と回路基板１１を筐体ケース１２に対してネジ１３で共締めできるようにしたので、回路基板１１を筐体ケース１２に固定するためのネジを、板状逆Ｆアンテナ素子１０１を回路基板１１に固定するためのネジと兼用することが可能となり、コストの削減が図れる。【００３６】
また、外部メモリ用のコネクタ１０２の導電性のシャーシを回路基板１１のグランドパターン１１１に接地したので、外部メモリのコネクタ１０２にフラッシュメモリ２０を挿入することによるアンテナ利得の劣化を防止することができる。【００３７】
なお、本実施の形態では、短絡部１０１２、１０１３が２つある例を示したが、これに限られず短絡部は１つだけでも良い【００３８】
なお、本実施の形態では、給電部１０１４と短絡部１０１３、１０１２は、それぞれ略Ｌ字状の導体板により形成されている例を示したが、グランドパターンに接続されていれば良く、例えば直線状の導体板又は導線でも良い。【００３９】
（実施の形態２）
図４は、本発明の実施の形態２に係る携帯端末のアンテナ装置を含む周辺部分の概略構成を示す斜視図である。なお、図４において前述した図１又は図２と共通する部分に同一の符号を付けている。本実施の形態に係る携帯端末２は、板状逆Ｆアンテナ素子１０１の周波数帯域を切り替えるためのスイッチ１４を有する点が前述した実施の形態１と異なっている。スイッチ１４は回路基板１１上に設けられている。板状逆Ｆアンテナ素子１０１の短絡部１０１２とスイッチ１４は回路基板１１上の配線により接続されており、さらにスイッチ１４とグランドパターン１１１も回路基板１１上の配線により接続されている。スイッチ１４をオンすることで短絡部１０１２が回路基板１１のグランドパターン１１１に接続状態となり、オフすることで非接続状態となる。スイッチ１４は主に電気的に又は高周波的にオン・オフできるものが用いられる。【００４０】
携帯電話の場合、使用する周波数帯域は、例えば、日本国内では１．９ＧＨｚ〜２．１ＧＨｚであり、海外では８８０ＭＨｚ〜９６０ＭＨｚ、１．７ＧＨｚ〜１．９ＧＨｚである。板状逆Ｆアンテナ素子１０１を携帯電話の仕様で設計した場合、スイッチ１４をオンして短絡部１０１２を回路基板１１のグランドパターン１１１に接続させることで周波数帯域が日本国内用の１．９ＧＨｚ〜２．１ＧＨｚとなり、スイッチ１４をオフして短絡部１０１２を回路基板１１のグランドパターン１１１から外すことで周波数帯域が海外用の８８０ＭＨｚ〜９６０ＭＨｚ、１．７ＧＨｚ〜１．９ＧＨｚとなる。なお、上述した周波数帯域はあくまでも一例にすぎず、日本国内で８００ＭＨｚ帯を使用することもあり得る。【００４１】
また、当該スイッチを用いることにより、ＧＰＳの１．５ＧＨｚ帯、ブルートゥースの２．４ＧＨｚ帯といった、異なった無線周波数帯域に対応することができる。【００４２】
このように、本実施の形態の携帯端末２では、板状逆Ｆアンテナ素子１０１の短絡部１０１２に、この短絡部１０１２をグランドパターン１１１に接地するためのスイッチ１４を設けて、板状逆Ｆアンテナ素子１０１の周波数帯域の切り替えを可能にしたので、板状逆Ｆアンテナ素子１０１を携帯電話の仕様で設計することで、日本国内用と海外用の両方の周波数帯域に対応させることができる。また、ＧＰＳ、ブルートゥース等の異なった周波数帯域のアプリケーションに対応させることができる。【００４３】
なお、本実施の形態では、回路基板１１上にスイッチ１４を設けたが、回路基板１１上に限定されるものではなく、図５に示すように、短絡部１０１２に設けても良い。また、短絡部１０１３に設けても良い。【００４４】
また、実施の形態１及び２では、２つの短絡部１０１３、１０１２を設けたが、短絡部の数に限定はなく３つ以上設けても良い。これにより、対応できる周波数帯域の数を増やすことができる。【００４５】
本発明を詳細にまた特定の実施態様を参照して説明したが、本発明の精神と範囲を逸脱することなく様々な変更や修正を加えることができることは当業者にとって明らかである。
【産業上の利用可能性】
【００４６】
本発明は、板状逆Ｆアンテナを使用しながらも、省スペース化が図れるといった効果を有し、携帯電話等の無線通信を行う携帯端末全般に適用することができる。
【図１】
2008146396.tif 000003
【図２】
2008146396.tif 000004
【図３】
2008146396.tif 000005
【図４】
2008146396.tif 000006
【図５】
2008146396.tif 000007
【手続補正書】
【提出日】平成21年11月18日(2009.11.18)
【手続補正１】
【補正対象書類名】明細書
【補正対象項目名】全文
【補正方法】変更
【補正の内容】
【発明の詳細な説明】
【技術分野】
【０００１】
本発明は、携帯電話等の携帯端末に用いて好適なアンテナ装置に関する。
【背景技術】
【０００２】
携帯電話等の携帯端末には、板状逆Ｆアンテナと呼ばれるアンテナが用いられている（例えば、特許文献１参照）。板状逆Ｆアンテナは、平板状の導体からなる放射素子を逆Ｆ字型に折り曲げた構造を採り、比較的小型で広帯域特性が得られるという利点を有している。
【０００３】
一方、近年の携帯端末は、カメラの画像データを保存したり、ネットワーク上のサイトからダウンロードした音楽データを保存したりするなど、データを扱う機会が多くなってきている。このため、大量のデータを保存できるように、カード型のフラッシュメモリ等の記録媒体を装着できるようにしたものがある。
【先行技術文献】
【特許文献】
【０００４】
【特許文献１】特開２００５−９４４２８号公報
【発明の概要】
【発明が解決しようとする課題】
【０００５】
しかしながら、板状逆Ｆアンテナは小型にできるものの、その形状から占有体積が大きいため携帯端末の回路基板を占有する割合が高く、携帯端末の小型化を進める上で支障があった。
【０００６】
本発明は、係る事情に鑑みてなされたものであり、板状逆Ｆアンテナを使用しながらも、省スペース化が図れるアンテナ装置を提供することを目的とする。
【課題を解決するための手段】
【０００７】
本発明のアンテナ装置は、放射素子と、グランドパターンと、前記放射素子に給電する給電部と、前記放射素子を前記グランドパターンに接続する第１の短絡部と、前記放射素子と前記グランドパターンの間に設けられた外部メモリ用のコネクタと、を備えた。
【０００８】
上記構成によれば、板状逆Ｆアンテナ素子の放射素子とグランドパターンとの間の空間部分に外部メモリ用のコネクタを配置したので、回路基板の省スペース化が可能となる。これにより、本発明のアンテナ装置を携帯電話等の携帯端末に適用した場合、携帯端末の小型化が図れる。
【０００９】
また、上記構成において、前記外部メモリ用のコネクタは、導電性のシャーシを有し、前記導電性のシャーシを前記グランドパターンに接続した。
【００１０】
上記構成によれば、外部メモリ用のコネクタの導電性のシャーシをグランドパターンに接続したので、外部メモリ用のコネクタにメモリを挿入することによるアンテナ利得の劣化を防止できる。
【００１１】
また、上記構成において、前記放射素子を前記グランドパターンに接続する第２の短絡部を有する。
【００１２】
上記構成によれば、複数の短絡部を有することで、その少なくとも１つをグランドパターンに接続することで、板状逆Ｆアンテナ素子の周波数帯域を変えることができる。
【００１３】
また、上記構成において、前記第１の短絡部又は前記第２の短絡部の少なくとも１つに前記グランドパターンに接続するためのスイッチを設けた。
【００１４】
上記構成によれば、スイッチによって短絡部をグランドパターンに接続したり、グランドから外したりすることで、アンテナ装置の周波数帯域を変えることができる。これにより、当該アンテナ装置を携帯電話の仕様で設計することで、日本国内用と海外用の両方の周波数帯域に対応させることができる。例えば、携帯電話の日本国内用の周波数帯域は１．９ＧＨｚ〜２．１ＧＨｚであり、海外用の周波数帯域は８８０ＭＨｚ〜９６０ＭＨｚ、１．７ＧＨｚ〜１．９ＧＨｚである。
【００１５】
また、上記構成において、前記複数の短絡部と、前記給電部を一列に並べた。
【００１６】
上記構成によれば、給電部と短絡部を一列に並べたので、省スペース化が図れる。
【００１７】
本発明の携帯端末は、上記アンテナ装置を有する。
【００１８】
上記構成によれば、省スペース化が図れ、携帯端末の小型化が図れる。
【００１９】
また、本発明の携帯端末は、前記アンテナ装置と、回路基板と、筐体ケースと、前記回路基板を前記筐体ケースに固定する固定部とを有し、前記複数の短絡部のうち少なくとも１つ又は前記給電部は、前記固定部により前記回路基板と共締めさせた。
【００２０】
上記構成によれば、アンテナ装置と回路基板を筐体ケースに対してネジで共締めできるので、回路基板を筐体ケースに固定するためのネジを、アンテナ装置を回路基板に固定するためのネジと兼用することが可能となり、コストの削減が図れる。
【発明の効果】
【００２１】
本発明のアンテナ装置は、放射素子とグランドパターンの間の空間部分に外部メモリ用のコネクタを配置し、また給電部と短絡部を一列に並べたので、板状逆Ｆアンテナを使用しながらも、省スペース化が図れ、携帯端末の小型化を実現できる。
【図面の簡単な説明】
【００２２】
【図１】本発明の実施の形態１に係る携帯端末のアンテナ装置を含む周辺部分の概略構成を示す斜視図
【図２】図１のアンテナ装置を含む周辺部分を逆方向から見たときの斜視図
【図３】図２のアンテナ装置を含む周辺部分を拡大した斜視図
【図４】本発明の実施の形態２に係る携帯端末のアンテナ装置を含む周辺部分の概略構成を示す斜視図
【図５】本発明の実施の形態２に係る携帯端末のアンテナ装置の応用例を含む周辺部分の概略構成を示す斜視図
【発明を実施するための形態】
【００２３】
以下、本発明を実施するための好適な実施の形態について、図面を参照して詳細に説明する。
【００２４】
（実施の形態１）
図１は、本発明の実施の形態１に係る携帯端末のアンテナ装置を含む周辺部分の概略構成を示す斜視図である。また、図２は、図１のアンテナ装置を含む周辺部分を逆方向から見たときの斜視図である。図１及び図２において、本実施の形態に係る携帯端末１は、アンテナ装置１０と、回路基板１１と、筐体ケース１２とを備えて構成される。アンテナ装置１０は、板状逆Ｆアンテナ素子１０１と、板状逆Ｆアンテナ素子１０１の直下に設けられた外部メモリ用のコネクタ１０２とを備えている。
【００２５】
板状逆Ｆアンテナ素子１０１は、本体部である平板状の導体からなる放射素子部１０１１と、給電部１０１４と、短絡部１０１３、１０１２と、グランドパターン１１１とから構成される。グランドパターン１１１は、回路基板１１に設けられている。回路基板１１は、複数の層構造からなる基板である。それぞれの層に配線又はチップ部品の実装がされており、そのうち一層又は数層が全面に亘ってグランドパターン１１１になっている。図中において、グランドパターン１１１は、一点鎖線で示してある。
【００２６】
給電部１０１４と短絡部１０１３、１０１２は、それぞれ略Ｌ字状の導体板により形成されており、放射素子部１０１１の４辺のうちの１辺に一列に並べて配置されている。給電部１０１４の回路基板１１と接する部分には回路基板１１を筐体ケース１２に固定するネジ穴部１０１５が形成されている。このネジ穴部１０１５により板状逆Ｆアンテナ素子１０１が回路基板１１と筐体ケース１２に共締めされる。図３は、図２のアンテナ部分を拡大した斜視図であり、この図に示すように、ネジ穴部１０１５を通してネジ１３を捩じ込むことで、板状逆Ｆアンテナ素子部１０１が回路基板１１と筐体ケース１２に共締めされる。なお、ネジ穴部１０１５は、給電部１０１４に限られず、短絡部１０１２、ｌ０１３に形成されていても良い。
【００２７】
給電部１０１４は、回路基板１１に実装された無線回路の給電側のパターン（給電パターン）１１２に接続されており、短絡部１０１３及び１０１２はグランドパターン１１１に接続されている。
【００２８】
板状逆Ｆアンテナ素子１０１において、給電部１０１４と短絡部１０１３、１０１２を一列に並べて配置することで、筐体ケース１２と回路基板１１を設計する上で無駄の少ない配置が可能となり、省スペース化が図れる。また、給電部１０１４にネジ穴部１０１５を設けることで、回路基板１１を筐体ケース１２に固定するためのネジ１３を、板状逆Ｆアンテナ素子１０１を回路基板１１に固定するためのネジと兼用することが可能となり、コストの削減が図れる。なお、ネジ穴部１０１５は、必ずしも給電部１０１４に設ける必要はなく、短絡部１０１３又は１０１２に設けても良い。
【００２９】
外部メモリ用のコネクタ１０２は、データ保存用のカード型のフラッシュメモリ（例えば、ＳＤカードや、マイクロＳＤカード）２０を携帯端末１に接続するためのものである。外部メモリ用のコネクタ１０２は板状逆Ｆアンテナ素子１０１の放射素子部１０１１とグランドパターン１１１の間に配置される。ここで、放射素子部１０１１とグランドパターン１１１の間には空間がある。この空間を利用して外部メモリ用のコネクタ１０２を配置することで、回路基板１１の省スペース化が図れる。特に部品としての外部メモリ用のコネクタ１０２は、他の部品よりも回路基板１１に占める割合が大きいので、省スペース化において大きな前進となる。
【００３０】
外部メモリ用のコネクタ１０２は、導電性のシャーシ（例えば、金属製のシャーシ）を有しており、その導電性のシャーシが回路基板１１のグランドパターン１１１に接地されている。板状逆Ｆアンテナ素子１０１の近傍に外部メモリ用のコネクタ１０２があると、フラッシュメモリ２０を挿入した場合に、通常フラッシュメモリが金属性であるためアンテナの放射利得が低下する。また、フラッシュメモリの出し入れにより、外部メモリ用のコネクタ１０２を構成するバネの伸縮状態が変化するため、アンテナの放射利得が低下する。
【００３１】
そこで、外部メモリ用のコネクタ１０２の導電性のシャーシをグランドに接地することにより、外部メモリ用のコネクタ１０２にフラッシュメモリ２０を挿入することによるアンテナ利得の劣化を防止することが可能となる。
【００３２】
このように、本実施の形態の携帯端末１では、放射素子部１０１１とグランドパターン１１１の間に外部メモリ用のコネクタ１０２を配置したので、回路基板１１の省スペース化が図れる。なお、回路基板１１を小型化しなくても余った部分に新たな機能を実現する部品を追加することも可能である。
【００３３】
また、板状逆Ｆアンテナ素子１０１の給電部１０１４と短絡部１０１３及び１０１２を一列に並べて配置したので、筐体ケース１２と回路基板１１を設計する上で無駄の少ない配置が可能となり、省スペース化が図れる。
【００３４】
また、給電部１０１４の回路基板１１と接する部分に回路基板１１を筐体ケース１２に固定するネジ穴部１０１５を形成して、板状逆Ｆアンテナ素子１０１と回路基板１１を筐体ケース１２に対してネジ１３で共締めできるようにしたので、回路基板１１を筐体ケース１２に固定するためのネジを、板状逆Ｆアンテナ素子１０１を回路基板１１に固定するためのネジと兼用することが可能となり、コストの削減が図れる。
【００３５】
また、外部メモリ用のコネクタ１０２の導電性のシャーシを回路基板１１のグランドパターン１１１に接地したので、外部メモリのコネクタ１０２にフラッシュメモリ２０を挿入することによるアンテナ利得の劣化を防止することができる。
【００３６】
なお、本実施の形態では、短絡部１０１２、１０１３が２つある例を示したが、これに限られず短絡部は１つだけでも良い。
【００３７】
なお、本実施の形態では、給電部１０１４と短絡部１０１３、１０１２は、それぞれ略Ｌ字状の導体板により形成されている例を示したが、グランドパターンに接続されていれば良く、例えば直線状の導体板又は導線でも良い。
【００３８】
（実施の形態２）
図４は、本発明の実施の形態２に係る携帯端末のアンテナ装置を含む周辺部分の概略構成を示す斜視図である。なお、図４において前述した図１又は図２と共通する部分に同一の符号を付けている。本実施の形態に係る携帯端末２は、板状逆Ｆアンテナ素子１０１の周波数帯域を切り替えるためのスイッチ１４を有する点が前述した実施の形態１と異なっている。スイッチ１４は回路基板１１上に設けられている。板状逆Ｆアンテナ素子１０１の短絡部１０１２とスイッチ１４は回路基板１１上の配線により接続されており、さらにスイッチ１４とグランドパターン１１１も回路基板１１上の配線により接続されている。スイッチ１４をオンすることで短絡部１０１２が回路基板１１のグランドパターン１１１に接続状態となり、オフすることで非接続状態となる。スイッチ１４は主に電気的に又は高周波的にオン・オフできるものが用いられる。
【００３９】
携帯電話の場合、使用する周波数帯域は、例えば、日本国内では１．９ＧＨｚ〜２．１ＧＨｚであり、海外では８８０ＭＨｚ〜９６０ＭＨｚ、１．７ＧＨｚ〜１．９ＧＨｚである。板状逆Ｆアンテナ素子１０１を携帯電話の仕様で設計した場合、スイッチ１４をオンして短絡部１０１２を回路基板１１のグランドパターン１１１に接続させることで周波数帯域が日本国内用の１．９ＧＨｚ〜２．１ＧＨｚとなり、スイッチ１４をオフして短絡部１０１２を回路基板１１のグランドパターン１１１から外すことで周波数帯域が海外用の８８０ＭＨｚ〜９６０ＭＨｚ、１．７ＧＨｚ〜１．９ＧＨｚとなる。なお、上述した周波数帯域はあくまでも一例にすぎず、日本国内で８００ＭＨｚ帯を使用することもあり得る。
【００４０】
また、当該スイッチを用いることにより、ＧＰＳの１．５ＧＨｚ帯、ブルートゥースの２．４ＧＨｚ帯といった、異なった無線周波数帯域に対応することができる。
【００４１】
このように、本実施の形態の携帯端末２では、板状逆Ｆアンテナ素子１０１の短絡部１０１２に、この短絡部１０１２をグランドパターン１１１に接地するためのスイッチ１４を設けて、板状逆Ｆアンテナ素子１０１の周波数帯域の切り替えを可能にしたので、板状逆Ｆアンテナ素子１０１を携帯電話の仕様で設計することで、日本国内用と海外用の両方の周波数帯域に対応させることができる。また、ＧＰＳ、ブルートゥース等の異なった周波数帯域のアプリケーションに対応させることができる。
【００４２】
なお、本実施の形態では、回路基板１１上にスイッチ１４を設けたが、回路基板１１上に限定されるものではなく、図５に示すように、短絡部１０１２に設けても良い。また、短絡部１０１３に設けても良い。
【００４３】
また、実施の形態１及び２では、２つの短絡部１０１３、１０１２を設けたが、短絡部の数に限定はなく３つ以上設けても良い。これにより、対応できる周波数帯域の数を増やすことができる。
【００４４】
本発明を詳細にまた特定の実施態様を参照して説明したが、本発明の精神と範囲を逸脱することなく様々な変更や修正を加えることができることは当業者にとって明らかである。
【産業上の利用可能性】
【００４５】
本発明は、板状逆Ｆアンテナを使用しながらも、省スペース化が図れるといった効果を有し、携帯電話等の無線通信を行う携帯端末全般に適用することができる。
【符号の説明】
【００４６】
１、２  携帯端末
１０  アンテナ装置
１１  回路基板
１２  筐体ケース
１３  ネジ
１４  スイッチ
２０  フラッシュメモリ
１０１  板状逆Ｆアンテナ素子
１０２  外部メモリ用のコネクタ
１１１  グランドパターン
１１２  給電パターン
１０１１  放射素子部
１０１２、１０１３  短絡部
１０１４  給電部
１０１５  ネジ穴部
【手続補正２】
【補正対象書類名】特許請求の範囲
【補正対象項目名】全文
【補正方法】変更
【補正の内容】
【特許請求の範囲】
【請求項１】
放射素子と、
グランドパターンと、
前記放射素子に給電する給電部と、
前記放射素子を前記グランドパターンに接続する第１の短絡部と、
前記放射素子と前記グランドパターンの間に設けられた外部メモリ用のコネクタと、
を備えたアンテナ装置。
【請求項２】
前記外部メモリ用のコネクタは、導電性のシャーシを有し、前記導電性のシャーシを前記グランドパターンに接続した請求項１に記載のアンテナ装置。
【請求項３】
前記放射素子を前記グランドパターンに接続する第２の短絡部を有する請求項１に記載のアンテナ装置。
【請求項４】
前記第１の短絡部又は前記第２の短絡部の少なくとも１つに前記グランドパターンに接続するためのスイッチを設けた請求項３に記載のアンテナ装置。
【請求項５】
前記複数の短絡部と、前記給電部を一列に並べた請求項３に記載のアンテナ装置。
【請求項６】
請求項１乃至請求項５のいずれかに記載のアンテナ装置を有する携帯端末。
【請求項７】
請求項３乃至請求項５のいずれかに記載のアンテナ装置と、回路基板と、筐体ケースと、前記回路基板を前記筐体ケースに固定する固定部とを有し、前記複数の短絡部のうち少なくとも１つ又は前記給電部は、前記固定部により前記回路基板と共締めされた携帯端末。
【手続補正３】
【補正対象書類名】図面
【補正対象項目名】全図
【補正方法】変更
【補正の内容】
【図１】
2008146396.tif 000008
【図２】
2008146396.tif 000009
【図３】
2008146396.tif 000010
【図４】
2008146396.tif 000011
【図５】
2008146396.tif 000012
【国際調査報告】
2008146396.tif 000013
2008146396.tif 000014
2008146396.tif 000015
2008146396.tif 000016